(57)【要約】【課題】  簡易な構成で作業員が容易かつ安全にオーガヘッドの交換ができ、作業時間も短縮できるオーガヘッド交換装置を提供する。【解決手段】  圧入機１に水平アーム１１を水平方向回動自在に取り付け、上記水平アーム１１の先端に吊下アーム１３を取り付けると共に、上記吊下アーム１３を水平アーム１１に対して上下方向移動可能に取り付け、かつ吊下アーム１３には過荷重を吸収する緩衝材１５を取り付けると共に、上記吊下アーム１３の下端に支持アーム１７を水平方向回動自在に取り付け、この支持アーム１７の先端に、オーガヘッドを載置するヘッド支持台１９を固定した。【選択図】図１
2006037373.tif 000002
【特許請求の範囲】
【請求項１】
圧入機のマストに水平アームを水平方向回動自在に取り付け、上記水平アームの先端に吊下アームを取り付けると共に、上記吊下アームの下端に支持アームを水平方向回動自在に取り付け、この支持アームの先端に、オーガヘッドを載置するヘッド支持台を固定したオーガヘッド交換装置。
【請求項２】
上記吊下アームを水平アームに対して上下方向移動可能に取り付け、かつ吊下アームには過荷重を吸収する緩衝材を取り付けると共に、支持アームにヘッド支持台を構成した請求項１記載のオーガヘッド交換装置。
【請求項３】
圧入機に水平アームを水平方向回動自在に取り付け、上記水平アームの先端に吊下アームを取り付けると共に、上記吊下アームを水平アームに対して上下方向移動可能に取り付け、かつ吊下アームには過荷重を吸収する緩衝材を取り付けると共に、上記吊下アームの下端に支持アームを水平方向回動自在に取り付け、この支持アームの先端に、オーガヘッドを載置するヘッド支持台を固定したオーガヘッド交換装置。
【発明の詳細な説明】
【技術分野】
【０００１】
本発明は、アースオーガを備えた掘削装置に設けられ、アースオーガ先端部のオーガヘッドを交換する際に用いるオーガヘッド交換装置に関するものである。
【背景技術】
【０００２】
硬質地盤に鋼矢板等の杭を圧入する際には、アースオーガを備えた圧入機が用いられ、杭の圧入前にアースオーガで硬質地盤を掘削する。この掘削作業において、アースオーガ先端に装着されたオーガヘッドは硬質地盤を掘削するため摩耗が激しく、定期的に交換しなくてはならない。
このオーガヘッドの交換作業において、従来からオーガヘッド交換装置が使用されていた。例えば特許文献１に示す装置には、圧入機にブラケットを設け、このブラケットとアームとをピンで水平方向回動自在に固定すると共に、アームとオーガヘッド支持台からほぼ水平方向に延出する延出部とを、ピンで水平方向回動自在に固定したものである。さらに、このオーガヘッド支持台にはオーガヘッドを設置し、かつ水平方向に回動させる機構を備えたヘッド支持部が設けられているものである。
【特許文献１】特開２００２−８１２８６号
【０００３】
上記の装置では、アームを圧入機のサドルに取り付けていたためアームが長く重くなり、そのため一人の作業員で持ち上げることが困難であった。また、アームがサドルに取り付けられているため、装置が圧入機の側方に張り出してしまうため、圧入機の運搬、保管姿勢が悪くなっていた。さらに作業現場では他の作業の邪魔になるという問題点もあった。
また重量が大きいため、サドルへの取付には大型ボルトを使用し、さらにオーガヘッド交換時の過負荷によりこの取付ボルトが破損することもおこった。
【発明の開示】
【発明が解決しようとする課題】
【０００４】
本発明は上記の点に鑑みなされたものであり、簡易な構成で作業員が容易かつ安全にオーガヘッドの交換ができ、作業時間も短縮できるオーガヘッド交換装置を提供するものである。
【課題を解決するための手段】
【０００５】
本発明の要旨とするところは、圧入機のマストに水平アームを水平方向回動自在に取り付け、上記水平アームの先端に吊下アームを取り付けると共に、上記吊下アームの下端に支持アームを水平方向回動自在に取り付け、この支持アームの先端に、オーガヘッドを載置するヘッド支持台を固定したオーガヘッド交換装置にある。
【０００６】
また本発明の要旨とするところは、上記吊下アームを水平アームに対して上下方向移動可能に取り付け、かつ吊下アームには過荷重を吸収する緩衝材を取り付けると共に、支持アームにヘッド支持台を構成したオーガヘッド交換装置にある。
【０００７】
また本発明の要旨とするところは、圧入機に水平アームを水平方向回動自在に取り付け、上記水平アームの先端に吊下アームを取り付けると共に、上記吊下アームを水平アームに対して上下方向移動可能に取り付け、かつ吊下アームには過荷重を吸収する緩衝材を取り付けると共に、上記吊下アームの下端に支持アームを水平方向回動自在に取り付け、この支持アームの先端に、オーガヘッドを載置するヘッド支持台を固定したオーガヘッド交換装置にある。
【発明の効果】
【０００８】
本発明は上記の如き構成であるため、簡易な構成かつ軽量であり一人の作業員で容易にオーガヘッドの交換ができ、交換作業も安全であり作業時間も短縮できる。
さらには交換装置がマストに取り付けられているため、圧入機の運搬、保管姿勢も良くなり、他の作業の邪魔になることもなくなった。
また装置の重量が軽いためマストへの取り付けには小型ボルトを使用でき、オーガヘッド交換時の過負荷によりボルトが破損することもおこらない等の効果を奏する。
【発明を実施するための最良の形態】
【０００９】
本発明を実施するための最良の形態は、圧入機のマストの先端に水平アームを水平方向回動自在に取り付け、上記水平アームの先端に吊下アームを上下方向移動可能に取り付けると共に、上記吊下アームの外周にはスプリングを巻装し、吊下アームを常時上方に付勢すると共に、上記吊下アームの下端に支持アームを水平方向回動自在に取り付け、この支持アームの両端に、オーガヘッドを載置するヘッド支持台を固定したオーガヘッド交換装置である。
【実施例】
【００１０】
本実施例のオーガヘッド交換装置１の構成を図に基づいて説明する。
図１は本発明の一実施例を示す正面図及び図２は本発明の一実施例を示す平面図である。
【００１１】
圧入機１のチャック３に取り付けたアースオーガ（図示せず）の下端にスクリュー４を介してオーガヘッド９２が固定されている。
【００１２】
上記圧入機１のマスト２の下部先端にはピン２１によって水平アーム１１が水平方向回動自在に取り付けられ、この水平アーム１１の先端に、吊下アーム１３が取り付けられている。
上記吊下アーム１３は外筒１３ａと内軸１３ｂとからなり、内軸１３ｂの周囲には過荷重を吸収する緩衝材としてのスプリング１５が巻装されていて、内軸１３ｂはこのスプリング１５によって常時上方に付勢されているため、上記吊下アーム１３は水平アーム１１対して上下動可能に取り付けられているのである。
【００１３】
上記吊下アーム１３の内軸１３ｂの下端に支持アーム１７を水平方向回動自在に取り付け、この支持アーム１７の両端にそれぞれヘッド支持台１９を固定する。
【００１４】
上記のように構成した本実施例を用いたオーガヘッドの交換作業を説明する。
まず、圧入機１のチャック３と間接的に固定されたスクリュー４を上昇させることによって、交換するオーガヘッド９２を一定高さに保持する。
その後、水平アーム１１と支持アーム１７を水平方向に回動して、支持アーム１１先端のヘッド支持台１９を交換するオーガヘッド９２の真下に配置し、スクリュー４よりオーガヘッド９２を外してヘッド支持台１９上に載せる。
【００１５】
一方、他方のヘッド支持台２０上にはあらかじめ新しいオーガヘッド９１が載置されており、その後、上記のように交換するオーガヘッド９２を外してヘッド支持台１９上に載せてから、支持アーム１７を水平方向に回動させる。
これによって、交換するオーガヘッド９２は圧入機１の外側に運ばれてくると共に、新しいオーガヘッド９１がスクリュー４の真下に運ばれてくる。
【００１６】
この後、スクリュー４を下降させて、その下端にオーガヘッド９１を取り付ける。このスクリュー４にオーガヘッド９１を取り付けるとき、オーガヘッド９１には、上方からスクリュー４による力が加えられる。
【００１７】
従来の交換装置は、このスクリュー４による力に耐えるために強度を持たせた大型の構造となっていた。
しかし、本実施例は吊下アーム１３は、内軸１３ｂに巻装したスプリング１５によって常時上方に付勢されていると共に、吊下アーム１３は水平アーム１１に対して上下方向移動可能に取り付けられている。そのため、上から押し付ける力が過度に加えられた場合には、内軸１３ｂと支持アーム１７がスプリング１５の弾発力に抗して下降して、上方からの力を吸収して、交換装置自体の損傷を防止する構成になっている。そのため本実施例では従来例に比べ吊下アーム１３や支持アーム１７等の構成要素を強度の大きくない小型のもので作れるようになった。
【００１８】
以上のように、本実施例によれば簡易な構成であり、容易な操作でオーガヘッドの交換作業が安全に行なえ、作業時間も短縮できるオーガヘッド交換装置を提供できるのである。
【図面の簡単な説明】
【００１９】
【図１】本発明のオーガヘッド交換装置の一実施例を示す正面図
【図２】本発明のオーガヘッド交換装置の一実施例を示す平面図
【符号の説明】
【００２０】
１ 圧入機
２  マスト
３  チャック
４  スクリュー
１１  水平アーム
１３  吊下アーム
１５  スプリング（緩衝材）
１７  支持アーム
１９  ヘッド支持台
９１  オーガヘッド
９２  オーガヘッド
【図１】
2006037373.tif 000003
【図２】
2006037373.tif 000004